(57)【要約】【課題】外力がシースに作用しても、外力が直接光ファイバテープ心線に掛かることがないようにして伝送特性の向上を図った平型光ファイバコードを提供すること。【解決手段】光ファイバテープ心線１１の周囲を複数本の抗張力繊維１３で縦添えして取り囲み、更にその外周を樹脂から成るシース１４で覆った平型光ファイバコード１０において、光ファイバテープ心線１１は少なくとも２枚の補強テープ１２で該テープ心線１１が囲繞されるようにして上下に張り合わされていること。補強テープ１２としては剛性があり融点の高い材料が好適である。【選択図】　図１
2004012573.tif 000002
【特許請求の範囲】
【請求項１】
光ファイバテープ心線の周囲を複数本の抗張力繊維で縦添えして取り囲み、更にその外周を樹脂から成るシースで覆った平型光ファイバコードであって、前記光ファイバテープ心線は少なくとも２枚の補強テープで該テープ心線が囲繞されるようにして上下に張り合わされている平型光ファイバコード。
【請求項２】
光ファイバテープ心線の周囲を複数本の抗張力繊維で縦添えし、その後外周を被覆するためのシース用樹脂を押出機により押し出して成形する平型光ファイバコードの製造方法であって、前記光ファイバテープ心線は少なくとも２枚の補強テープで該テープ心線が囲繞されるようにして上下に張り合わされ、更に、前記補強テープで囲繞されたテープ心線の周囲を複数本の抗張力繊維で縦添えした後、外周をシース用樹脂で押出被覆した平型光ファイバコードの製造方法。
【発明の詳細な説明】
【０００１】
【産業上の利用分野】
この発明は、光ファイバテープ心線の周囲を複数本の抗張力繊維で縦添えして取り囲み、更にその外周を樹脂から成るシースで覆った平型光ファイバコード及びその製造方法に関する。
【０００２】
【従来の技術】
コネクター付けの容易さや伝送路の長さが各心線毎に揃うという利点があるために、光ファイバ素線を多心化してテープ状にまとめ、周囲を断面形状が長方形若しくは長円のシースで覆った平型光ファイバコードが知られている。図３は従来の平型光ファイバコード断面図であり、図３（ａ）は製作直後の平型光ファイバコード、図３（ｂ）は使用状態の平型光ファイバコードのそれぞれの断面図である。
【０００３】
図３（ａ）において、この平型光ファイバコード１は、中央に配置されている多心（１２心）のテープ心線２と、引っ張り強度の確保のためにこのテープ心線２の周りに縦添えした抗張力繊維３と、更にこれ等を覆ったシース４とで構成されている。
【０００４】
そして、この抗張力繊維３はテープ心線２とシース４との間に存在しているために、外からの力がシース４を介して直接テープ心線２に掛かることを防ぐクッション機能を果たしている。
【０００５】
【発明が解決しようとする課題】
しかしながら、上述した従来の平型光ファイバコード１は使用している間に、図３（ｂ）に示すように、抗張力繊維３がテープ心線２を境として短径方向上下に移動してしまうことが多く、テープ心線２の長径方向に安定して抗張力繊維３を留めておくことが困難であった。
【０００６】
したがって、外力が長径方向に向かってかかると、テープ心線２とシース４が直接接触するため、テープ心線の複数のファイバ素線の中で、両端に位置しているファイバ素線ａ，ｂが大きく曲げられて伝送損失が増大したり、時にはファイバ素線が断線して信号の伝送に支障をきたすことがあった。
【０００７】
このような状況を回避するために、テープ心線の端からファイバ素線までの距離を大きくすることも考えられるが、テープの幅が大きくなってしまい、コネクターにおけるテープ心線挿入部の寸法が合わず実用上の問題があった。
【０００８】
本発明はこのような事情に鑑みて成されたもので、その目的とするところは、外力がシースに作用しても、外力を直接光ファイバテープ心線に掛かることがないようにして伝送特性の向上を図った平型光ファイバコードを提供することにある。
【０００９】
【課題を解決するための手段】
上記課題を解決するために、本発明の平型光ファイバコードは、光ファイバテープ心線の周囲を複数本の抗張力繊維で縦添えして取り囲み、更にその外周を樹脂から成るシースで覆った平型光ファイバコードであって、前記光ファイバテープ心線は少なくとも２枚の補強テープで該テープ心線が囲繞されるようにして上下に張り合わされていることにある。
このようにすることにより、補強テープで張り合わされた部分が強固になるので曲げに対する剛性が高まり、特に外力がシースの長径方向に向かって作用しても、補強テープの張り合わせ部がクッションの役割をして、テープ心線に力が直接加わることがない。
【００１０】
本発明の平型光ファイバコードの製造方法は、光ファイバテープ心線の周囲を複数本の抗張力繊維で縦添えし、その後外周を被覆するためのシース用樹脂を押出機により押し出して成形する平型光ファイバコードの製造方法であって、前記光ファイバテープ心線は少なくとも２枚の補強テープで該テープ心線が囲繞されるようにして上下に張り合わされ、更に、前記補強テープで囲繞されたテープ心線の周囲を複数本の抗張力繊維で縦添えした後、外周をシース用樹脂で押出被覆することにある。
このようにすることにより、曲げ剛性の高い、かつ、シースの長径方向に向かって外力が作用しても、光ファイバテープ心線を保護することができる平型光ファイバコードを容易に製造することができる。
【００１１】
【実施例】
以下、本発明の実施形態を図１及び図２に基づいて説明する。
図１は本発明の平型光ファイバコードの断面図であり、図２は本発明の平型光ファイバコードの製造方法を示す概略工程図である。
【００１２】
図１において、１０は平型光ファイバコードであり、中央に１２心のファイバ素線を有する多心型テープ心線１１（以下単に「テープ心線」という）が配置され、このテープ心線１１には２枚の補強テープ１２がテープ心線１１を囲繞するように上下に張り合わされ、その外周にはテープ心線１１を境として短径方向上下に引っ張り強度確保のための抗張力繊維１３が取り囲み、更にその外周はシース１４で覆われている。
【００１３】
このように構成することにより、補強テープ１２で張り合わされた部分１２ａが強固になるので、曲げに対する剛性が高まり、また、外力がシース１４の長径方向（矢印方向）に向かって作用しても、張り合わせ部１２ａがクションの役割を果たし、直接テープ心線１１に作用することがない。
【００１４】
また、シース１４の短径方向からの外力は抗張力繊維１３により保護されることはいうまでもないが、剛性が高められたことにより、座屈が起きにくい効果も得られる。結局、補強テープ１２を張り合わせることで、ファイバ素線が保護され、伝送損失の増加や断線を低減できて光ファイバコードの信頼性の向上を図ることができる。
【００１５】
補強テープ１２は、その剛性を高めるために、厚さが１０μｍ以上のものがよく、また、シース押出時の熱に耐えるために、比較的高融点の材料が適しており、ポリプロピレン、ポリエチレンテレフタレート、ポリイミド等が好適に使用される。また、補強テープ幅はテープ心線より１から２ｍｍ程度広くし、張り合わせ部１２ａを０．５から１ｍｍ取るようにする。
【００１６】
補強テープ１２を張り合わせる接着剤としては、ポリウレタン系、酢酸ビニル樹脂系、エポキシ系、クロロプレンゴム系などが使用され、シース材としてはＰＶＣやポリオレフィン系樹脂、及びポリアミド系樹脂などが用いられる。
【００１７】
本発明の平型光ファイバコードの製造方法を、図２に示す概略工程図に基づき説明する。テープ心線２０は工程Ａで補強テープ１２が接着剤により張り合わされたテープ心線２０ａを得る。次いで工程Ｂで、複数本の抗張力繊維１３が周囲に縦添えされる。
【００１８】
周囲に抗張力繊維１３が縦添えされたテープ心線２０ｂは押出機Ｃに導入される。押出機Ｃはシース用樹脂２２を導入する導入口２２ａを有する本体２４を備え、テープ心線２０ａの外周にシース用樹脂２２が押し出され、平型光ファイバコード２０ｃが製造される。
【００１９】
表１はシースの長径方向から力を印加したときの本発明製品と従来品との伝送損失を測定した結果を示したもので、測定個所はテープ心線端とテープ心線中央で、印加した長径方向からの力は１００ｍｍ幅の鉄板を介して２５０Ｎ（ニュートン）と５００Ｎの２種類を印加した。この表１からわかるように、従来の平型光ファイバコードにおいて５００Ｎ印加時に、テープ心線端に０．２ｄＢの伝送損失の増加があらわれた。
なお、試作したコードの諸元は次のとおりである。
2004012573.tif 000003
【表１】
2004012573.tif 000004
【００２０】
【発明の効果】
本発明によれば、次のような効果が得られる。
【００２１】
（ａ）請求項１の発明によれば、補強テープで張り合わされた部分が強固になるので曲げに対する剛性が高まり、特に外力がシースの長径方向に向かって作用しても、補強テープの張り合わせ部がクッションの役割をして、テープ心線に力が直接加わることがない。
【００２２】
（ｂ）請求項２の発明によれば、曲げ剛性の高い、かつ、シースの長径方向に向かって外力が作用しても、光ファイバテープ心線を保護することができる平型光ファイバコードを容易に製造することができる。
【図面の簡単な説明】
【図１】本発明の平型光ファイバコードの断面図でありる。
【図２】本発明の平型光ファイバコードの製造方法を示す概略工程図である。
【図３】従来の平型光ファイバコード断面図であり、（ａ）は製作直後の平型光ファイバコード、（ｂ）は使用状態の平型光ファイバコードのそれぞれの断面図である。
【符号の説明】
１・・・平型光ファイバコード
２・・・テープ心線
３・・・抗張力繊維
４・・・シース
１０・・・平型光ファイバコード
１１・・・多心型テープ心線（テープ心線）
１２・・・補強テープ
１２ａ・・・張り合わせ部
１３・・・抗張力繊維
１４・・・シース
２０・・・テープ心線
２０ａ・・・補強テープが張り合わされたテープ心線
２０ｂ・・・抗張力繊維が縦添えされたテープ心線
２０ｃ・・・平型光ファイバコード
２２・・・シース用樹脂
２２ａ・・・導入口
２４・・・本体
Ａ・・・補強テープ張り合わせ工程
Ｂ・・・抗張力繊維の縦添え完了工程
Ｃ・・・押出機
ａ，ｂ・・・長径方向端部に位置するファイバ素線
【図１】
2004012573.tif 000005
【図２】
2004012573.tif 000006
【図３】
2004012573.tif 000007